(57)【特許請求の範囲】
【請求項１】
無線通信を行うことが可能な無線通信端末において、
前記無線通信端末の加速度、方向、位置及び外界像のうち少なくともいずれかの変化により示される外界の変化に基づき、前記無線通信端末の筐体に皮膚が接触している皮膚接触状態であるか否かを推定する皮膚接触推定部と、
前記筐体の表面温度を測定する筐体表面温度センサと、
前記無線通信を実行する際に動作する動作部位の動作部位温度を測定する動作部位温度センサと、
前記皮膚接触状態であると推定された場合、前記表面温度が前記皮膚に傷害を生じさせない程度の第１の温度を超えないように、前記動作部位に前記無線通信を高スループットで行わせる高スループット伝送制御と、前記動作部位に前記無線通信を低放熱量で行わせる低放熱量伝送制御とを切り替えて実行する第１のモードを実行し、前記皮膚接触状態でないと推定された場合、前記動作部位温度が、前記動作部位が正常に動作する上限温度を超えないように、前記高スループット伝送制御と前記低放熱量伝送制御とを切り替えて実行する第２のモードを実行する制御部と
を具備することを特徴とする無線通信端末。
【請求項２】
ユーザからの要求に従って、前記第１のモードを指示する第１の切替信号又は前記第２のモードを指示する第２の切替信号を生成する切替ボタンをさらに具備し、
前記制御部は、前記第１の切替信号に応じて前記第１のモードを実行し、前記第２の切替信号に応じて前記第２のモードを実行することを特徴とする請求項１記載の無線通信端末。
【請求項３】
前記皮膚が接触した場合、静電容量の変化を検知する静電センサをさらに具備し、
前記皮膚接触推定部は、前記静電容量の変化に基づいて前記皮膚接触状態であるか否かを推定することを特徴とする請求項１及び２のいずれかに記載の無線通信端末。
【請求項４】
置き台と接続可能であり、前記置き台と接続したとき、接続信号を生成する置き台端子をさらに具備し、
前記皮膚接触推定部は、前記接続信号を検出すると、前記皮膚接触状態ではないと推定することを特徴とする請求項１乃至３のいずれかに記載の無線通信端末。
【請求項５】
前記皮膚接触推定部は、前記加速度の変化、前記方向の変化、前記位置の変化及び前記外界像の変化のうち少なくともいずれかを認識した場合、前記皮膚接触状態であると推定することを特徴とする請求項１記載の無線通信端末。
【請求項６】
前記皮膚接触推定部は、前記加速度、前記方向、前記位置及び前記外界像に変化がない場合、前記皮膚接触状態でないと推定することを特徴とする請求項１記載の無線通信端末。
【請求項７】
無線通信を行うことが可能な無線通信端末に用いられる通信処理制御方法であって、
皮膚接触推定部が、前記無線通信端末の加速度、方向、位置及び外界像のうち少なくともいずれかの変化により示される外界の変化に基づき、前記無線通信端末の筐体に皮膚が接触している皮膚接触状態であるか否かを推定し、
筐体表面温度センサが、前記筐体の表面温度を測定し、
動作部位温度センサが、前記無線通信を実行する際に動作する動作部位の動作部位温度を測定し、
制御部が、前記皮膚接触状態であると推定される場合、前記表面温度が前記皮膚に傷害を生じさせない程度の第１の温度を超えないように、前記動作部位に前記無線通信を高スループットで行わせる高スループット伝送制御と、前記動作部位に前記無線通信を低放熱量で行わせる低放熱量伝送制御とを切り替えて実行する第１のモードを実行し、
前記制御部が、前記皮膚接触推定部により前記皮膚接触状態でないと推定される場合、前記動作部位温度が、前記動作部位が正常に動作する上限温度を超えないように、前記高スループット伝送制御と前記低放熱量伝送制御とを切り替えて実行する第２のモードを実行することを特徴とする通信処理制御方法。
【請求項８】
切替ボタンが、ユーザからの要求に従って、前記第１のモードを指示する第１の切替信号又は前記第２のモードを指示する第２の切替信号を生成し、
前記制御部が、前記第１の切替信号に応じて前記第１のモードを実行し、前記第２の切替信号に応じて前記第２のモードを実行することを特徴とする請求項７記載の通信処理制御方法。
【請求項９】
静電センサが、前記皮膚が接触した場合に静電容量の変化を検知し、
前記皮膚接触推定部が、前記静電容量の変化に基づいて前記皮膚接触状態であるか否かを推定することを特徴とする請求項７及び８のいずれかに記載の通信処理制御方法。
【請求項１０】
置き台端子が、置き台と接続可能であり、前記置き台と接続したとき、接続信号を生成し、
前記皮膚接触推定部が、前記接続信号を検出すると、前記皮膚接触状態ではないと推定することを特徴とする請求項７乃至９のいずれかに記載の通信処理制御方法。
【請求項１１】
前記皮膚接触推定部が、前記加速度の変化、前記方向の変化、前記位置の変化及び前記外界像の変化のうち少なくともいずれかを認識した場合、前記皮膚接触状態であると推定することを特徴とする請求項７記載の通信処理制御方法。
【請求項１２】
前記皮膚接触推定部が、前記加速度、前記方向、前記位置及び前記外界像に変化がないことを確認した場合、前記皮膚接触状態でないと推定することを特徴とする請求項７記載の通信処理制御方法。
【発明の詳細な説明】
【技術分野】
【０００１】
本発明の実施形態は、無線ネットワークを介してデータ通信を行う無線通信端末及びその通信処理制御方法に関する。
【背景技術】
【０００２】
近年、無線通信端末では、ＬＴＥ（Long Term Evolution）等の通信方式が提案される等、高スループットの無線通信が実現されつつある。無線通信が高速化されることにより、通信にかかる時間が短くなり、所定量の通信にかかる消費電力量が少なくなるというメリットがある。
【０００３】
一方で、無線通信が高速化されると、無線通信端末から放出される単位時間当たりの熱量が大きくなり、無線通信端末の筐体表面が高温化し、無線通信端末に接触するユーザに傷害を負わせる危険がある。
【先行技術文献】
【特許文献】
【０００４】
【特許文献１】特開２００８−１３１３１９号公報
【発明の概要】
【発明が解決しようとする課題】
【０００５】
以上のように、高スループットの無線通信を行うと、端末の筐体表面が高温化し、端末に接触するユーザに傷害を負わせる危険があるという問題がある。
【０００６】
そこで、目的は、スループットの高い無線通信を行っても、端末に接触する皮膚への傷害を回避することが可能な無線通信端末及び通信処理方法を提供することにある。
【課題を解決するための手段】
【０００７】
実施形態の無線通信端末は、無線通信を行うことが可能な無線通信端末において、皮膚接触推定部、筐体表面温度センサ、動作部位温度センサ及び制御部を具備する。皮膚接触推定部は、外界の変化に基づき、前記無線通信端末の筐体に皮膚が接触している皮膚接触状態であるか否かを推定する。筐体表面温度センサは、前記筐体の表面温度を測定する。動作部位温度センサは、前記無線通信を実行する際に動作する動作部位の動作部位温度を測定する。制御部は、前記皮膚接触状態であると推定された場合、前記表面温度が前記皮膚に傷害を生じさせない程度の第１の温度を超えないように、前記動作部位に前記無線通信を高スループットで行わせる高スループット伝送制御と、前記動作部位に前記無線通信を低放熱量で行わせる低放熱量伝送制御とを切り替えて実行する第１のモードを実行し、前記皮膚接触状態でないと推定された場合、前記動作部位温度が、前記動作部位が正常に動作する上限温度を超えないように、前記高スループット伝送制御と前記低放熱量伝送制御とを切り替えて実行する第２のモードを実行する。
【図面の簡単な説明】
【０００８】
【図１】実施形態に係る無線通信端末の機能構成を示すブロック図である。
【図２】図１の集積回路の機能構成を示すブロック図である。
【図３】図２の皮膚接触推定部での皮膚接触推定動作のフローチャートの一例を示す図である。
【図４】図２の制御部での通信処理制御動作のフローチャートの一例を示す図である。
【発明を実施するための形態】
【０００９】
図１は、本発明の一実施形態に係る無線通信端末の機能構成を示すブロック図である。図１における無線通信端末は、筐体１３０及び、これに内蔵される通信部１０、動作部位温度センサ２０、筐体表面温度センサ３０、静電センサ４０、加速度センサ５０、地磁気センサ６０、ＧＰＳ（Global Positioning System）７０、撮像部８０、置き台端子９０、メモリ１００、集積回路１１０及び切替ボタン１２０を具備する。
【００１０】
通信部１０は、アンテナ１１、送受信切替部１２、周波数変換部１３、送信パワーアンプ１４、受信アンプ１５及び周波数変換部１６を備える。周波数変換部１３は、集積回路１１０からの送信信号を無線周波数帯の信号にアップコンバートする。送信パワーアンプ１４は、周波数変換部１３からの送信信号を増幅し、送受信切替部１２を介してアンテナ１１から空間へ送信する。
【００１１】
受信アンプ１５は、アンテナ１１及び送受信切替部１２を介して無線信号を受信する。受信アンプ１５は、受信信号を増幅する。周波数変換部１６は、受信アンプ１５からの受信信号を中間周波数帯の信号にダウンコンバートして、集積回路１１０へ出力する。
【００１２】
動作部位温度センサ２０は、送信パワーアンプ温度センサ２１及び集積回路温度センサ２２を備える。送信パワーアンプ温度センサ２１は、送信パワーアンプ１４の表面に設置される。送信パワーアンプ温度センサ２１は、送信パワーアンプ１４の温度を測定し、送信パワーアンプ温度情報を集積回路１１０へ出力する。
【００１３】
集積回路温度センサ２２は、集積回路１１０の表面に設置される。集積回路温度センサ２２は、集積回路１１０の温度を測定し、集積回路温度情報を集積回路１１０へ出力する。
【００１４】
筐体表面温度センサ３０は、筐体１３０の内側表面に設置される。筐体表面温度センサ３０は、筐体表面の温度を測定し、表面温度情報を集積回路１１０へ出力する。
【００１５】
静電センサ４０は、筐体１３０の表面に設置され、人体の寄生容量を利用し、例えば、ユーザの指先が静電センサ４０に触れた際のわずかな静電容量の変化を検知する。静電センサ４０は、静電容量の検知結果を集積回路１１０へ出力する。加速度センサ５０は、無線通信端末が移動するときの加速度を検知する。加速度センサ５０は、加速度の検知結果を集積回路１１０へ出力する。地磁気センサ６０は、３軸の地軸データに基づき、無線通信端末の方向を検知する。地磁気センサ６０は、方向の検知結果を集積回路１１０へ出力する。
【００１６】
ＧＰＳ７０は、人工衛星等からの電波によって無線通信端末の位置を確かめる装置であり、端末の現在位置を取得する。ＧＰＳ７０は、取得した位置情報を集積回路１１０へ出力する。撮像部８０は、外界像を取得する。撮像部８０は、取得した外界像を集積回路１１０へ出力する。
【００１７】
置き台端子９０は、無線通信端末が置き台（図示せず）と接続するための端子である。置き台端子９０は、置き台と接続すると、接続信号を集積回路１１０へ出力する。
【００１８】
メモリ１００は、集積回路１１０が送信データを生成するための情報と、集積回路１１０が受信データを処理するための情報等とを予め記憶する。
【００１９】
切替ボタン１２０は、ユーザが後述する第１及び第２のモードの切り替えを要求する場合に押される。切替ボタン１２０は、第１のモードへの切り替えが要求されている間、集積回路１１０へ第１の切替信号を出力する。また、切替ボタン１２０は、第２のモードへの切り替えが要求されている間、集積回路１１０へ第２の切替信号を出力する。
【００２０】
集積回路１１０は、無線通信端末内の動作を制御するものであり、図２に示す構造を有する。図２において、集積回路１１０は、通信処理部１１１、メモリ接続部１１２、置き台接続部１１３、皮膚接触推定部１１４、制御部１１５及びモード記憶部１１６を備える。
【００２１】
通信処理部１１１は、送信データ生成部１１１１、変調処理部１１１２、復調処理部１１１３及び受信データ処理部１１１４を備える。送信データ生成部１１１１は、制御部１１５からの指示に従い、メモリ接続部１１２を介してメモリ１００に記憶される情報を利用して、送信データを生成する。送信データ生成部１１１１は、生成した送信データを変調処理部１１１２へ出力する。
【００２２】
変調処理部１１１２は、送信データ生成部１１１１から送信データを受け取る。変調処理部１１１２は、制御部１１５からの指示に従い、受け取った送信データを所定の通信方式に則った符号化方式により符号化する。ここで、所定の通信方式とは、３Ｇ及びＷｉ−Ｆｉ等の通信方式であり、いかなる通信方式を用いても構わない。変調処理部１１１２は、符号化して得られた送信信号を通信部１０の周波数変換部１３へ出力する。
【００２３】
復調処理部１１１３は、通信部１０の周波数変換部１６から受信信号を受け取る。復調処理部１１１３は、制御部１１５からの指示に従い、受け取った受信信号を変調処理部１１１２における符号化方式に基づいて復号化する。復調処理部１１１３は、復号化した受信データを受信データ処理部１１１４へ出力する。
【００２４】
受信データ処理部１１１４は、復調処理部１１３から受信データを受け取る。受信データ処理部１１１４は、制御部１１５からの指示に従い、メモリ接続部１１２を介してメモリ１００に記憶される情報を利用し、受け取った受信データを処理する。
【００２５】
置き台接続部１１３は、置き台端子９０からの接続信号を検出する。置き台接続部１１３は、接続信号を検出した場合、その旨を制御部１１５へ通知する。
【００２６】
皮膚接触推定部１１４は、静電センサ４０からの静電容量の検知結果と、加速度センサ５０からの加速度の検知結果と、地磁気センサ６０からの方向の検知結果と、ＧＰＳ７０からの位置情報と、撮像部８０からの外界像と、置き台接続部１１３からの通知との少なくともいずれかに基づき、無線通信端末に皮膚が接触していることを推定する。皮膚接触推定部１１４は、無線通信端末に皮膚が接触していると推定する場合、接触信号を制御部１１５へ出力する。また、皮膚接触推定部１１４は、無線通信端末に皮膚が接触していないと推定する場合、非接触信号を制御部１１５へ出力する。
【００２７】
モード記憶部１１６は、制御部１１５からの指示により、制御部１１５の動作モードである第１又は第２のモードを記憶する。ここで、第１のモードとは、制御部１１５が、筐体表面温度センサ３０からの表面温度情報を参照し、筐体１３０の表面の温度が第１の温度を超えないように、高スループット伝送制御と、低放熱量伝送制御とを切り替えて実行するモードである。ここで、第１の温度とは、端末に継続的に接触する皮膚に、傷害を生じさせない程度の温度をいう。なお、高スループット伝送制御及び低放熱量伝送制御については後述する。
【００２８】
また、第２のモードとは、制御部１１５が、送信パワーアンプ温度センサ２１からの送信パワーアンプ温度情報及び集積回路温度センサ２２からの集積回路温度情報を参照し、送信パワーアンプ１４の温度が第２の温度を超えず、かつ、集積回路１１０の温度が第３の温度を超えないように、高スループット伝送制御と、低放熱量伝送制御とを切り替えて実行するモードである。ここで、第２の温度とは送信パワーアンプ１４が継続的に正常に動作する上限の温度であり、第３の温度とは集積回路１１０が継続的に正常に動作する上限の温度である。
【００２９】
制御部１１５は、切替ボタン１２０からの第１又は第２の切替信号と、皮膚接触推定部１１４からの接触信号又は非接触信号と、送信パワーアンプ温度センサ２１からの送信パワーアンプ温度情報と、集積回路温度センサ２２からの集積回路温度情報と、筐体表面温度センサ３０からの表面温度情報とを受信する。制御部１１５は、切替ボタン１２０から第１の切替信号を受信した場合、又は、切替ボタン１２０から第１及び第２の切替信号を受信しておらず皮膚接触推定部１１４から接触信号を受信した場合、モード記憶部１１６に第１のモードを記憶する。制御部１１５は、第１のモードがモード記憶部１１６に記憶されている場合、筐体１３０の表面の温度が第１の温度を超えない間は高スループット伝送制御を実行し、表面の温度が第１の温度を超えると低放熱量伝送制御を実行する。
【００３０】
ここで、高スループット伝送制御とは、伝送すべきデータがある限り、通信相手へ広帯域かつデューティ比の高い信号の伝送を要求し、この信号に対して遅滞なく高頻度に肯定的応答を行う、いわゆる高スループットの無線通信を行う制御である。すなわち、制御部１１５は、送信動作においては、送信データ生成部１１１１に対して可能な限り高速かつ連続的に送信データを生成するように指示を出し、変調処理部１１１２に対して可能な限り広帯域な信号を連続的に処理するように指示を出す。また、制御部１１５は、受信動作においては、通信相手に広帯域かつデューティ比の高い信号の伝送を要求し、復調処理部１１１３に対して可能な限り広帯域な受信信号を連続的に処理するように指示を出し、受信データ処理部１１１４に対して可能な限り受信データを高速かつ連続的に処理するように指示を出す。
【００３１】
また、低放熱量伝送制御とは、通信プロトコル又はアプリケーション要求を満足する限り、通信相手へ低速、狭帯域又はデューティ比の低い信号の伝送を要求し、この信号に対して遅延し又は低頻度に肯定的応答を行う制御である。すなわち、制御部１１５は、送信動作においては、送信データ生成部１１１１に対して必要な限り低速又は間欠的に送信データを生成するように指示を出し、変調処理部１１１２に対して必要な限り狭帯域な信号を間欠的に処理するように指示を出す。また、制御部１１５は、受信動作においては、通信相手に必要な限り低速、狭帯域又はデューティ比の低い信号の伝送を要求し、復調処理部１１１３に対して必要な限り狭帯域の受信信号を低速又は間欠的に処理するように指示を出し、受信データ処理部１１１４に対して必要な限り受信データを低速又は間欠的に処理するように指示を出す。なお、制御部１１５は、高スループット伝送制御及び低放熱量伝送制御に際し、最適に送信パワーアンプ１４の増幅率を制御する。
【００３２】
また、制御部１１５は、切替ボタン１２０から第２の切替信号を受信した場合、又は、切替ボタン１２０から第１及び第２の切替信号を受信しておらず皮膚接触推定部１１４から非接触信号を受信した場合、モード記憶部１１６に第２のモードを記憶する。制御部１１５は、第２のモードがモード記憶部１１６に記憶されている場合、送信パワーアンプ１４の温度が第２の温度を超えず、かつ、集積回路１１０の温度が第３の温度を超えない間は、高スループット伝送制御を行う。また、制御部１１５は、第２のモードがモード記憶部１１６に記憶されている場合、送信パワーアンプ１４の温度が第２の温度を超え、かつ／又は、集積回路１１０の温度が第３の温度を超えると、低放熱量伝送制御を行う。
【００３３】
次に、以上のように構成された無線通信端末による動作を詳細に説明する。図３は、本発明の一実施形態に係る無線通信端末における皮膚接触推定部１１４での皮膚接触推定動作のフローチャートの一例を示す図である。
【００３４】
まず、皮膚接触推定部１１４は、静電センサ４０からの静電容量の検知結果に基づいて、無線通信端末に皮膚が接触したか否かを判断する（ステップＳ３１）。皮膚接触推定部１１４は、静電容量の検知結果から無線通信端末に皮膚が接触したと判断した場合（ステップＳ３１のＹｅｓ）、接触信号を制御部１１５へ出力する（ステップＳ３２）。皮膚接触推定部１１４は、静電容量の検知結果から無線通信端末に皮膚が接触していないと判断した場合（ステップＳ３１のＮｏ）、置き台接続部１１３からの接続信号を検出したか否かを判断する（ステップＳ３３）。
【００３５】
皮膚接触推定部１１４は、置き台接続部１１３からの接続信号を検出した場合（ステップＳ３３のＹｅｓ）、無線通信端末が置き台に固定され、皮膚と接触していないと判断し、非接触信号を制御部１１５へ出力する（ステップＳ３４）。皮膚接触推定部１１４は、置き台接続部１１３からの接続信号を検出しない場合（ステップＳ３３のＮｏ）、加速度センサ５０からの加速度の検知結果と、地磁気センサ６０からの方向の検知結果と、ＧＰＳ７０からの位置情報と、撮像部８０からの外界像との少なくともいずれかで変化があったか否かを判断する（ステップＳ３５）。
【００３６】
皮膚接触推定部１１４は、加速度センサ５０からの加速度の検知結果と、地磁気センサ６０からの方向の検知結果と、ＧＰＳ７０からの位置情報と、撮像部８０からの外界像との少なくともいずれかで変化があった場合（ステップＳ３５のＹｅｓ）、無線通信端末に皮膚が接触していると推定し、処理をステップＳ３２へ移行する。皮膚接触推定部１１４は、加速度センサ５０からの加速度の検知結果と、地磁気センサ６０からの方向の検知結果と、ＧＰＳ７０からの位置情報と、撮像部８０からの外界像との全てが無変化である場合（ステップＳ３５のＮｏ）、無線通信端末に皮膚が接触していないと推定し、処理をステップＳ３４へ移行する。
【００３７】
皮膚接触推定部１１４は、ステップＳ３２において接触信号を制御部１１５へ出力した後、又は、ステップＳ３４において非接触信号を制御部１１５へ出力した後、一定時間が経過したか否かを判断する（ステップＳ３７）。皮膚接触推定部１１４は、一定時間が経過した場合（ステップＳ３７のＹｅｓ）、処理をステップＳ３１へ移行し、図３の処理を繰り返す。皮膚接触推定部１１４は、一定時間が経過していない場合（ステップＳ３７のＮｏ）、一定時間が経過するまで待機する。
【００３８】
なお、ステップＳ３７では、一定時間を経過することが、図３の処理を繰り返すための要件としているが、ユーザからの更新指示を受け付けることで、図３の処理を繰り返すようにしても構わない。
【００３９】
図４は、本発明の一実施形態に係る無線通信端末における制御部１１５での通信処理制御動作のフローチャートの一例を示す図である。なお、図４では、制御部１１５が初期状態として第１のモードを実行する場合、つまり、初期状態としてモード記憶部１１６に第１のモードが記憶されている場合を例に説明する。
【００４０】
まず、制御部１１５は、切替ボタン１２０から第１又は第２の切替信号を受信したか否かを判断する（ステップＳ４１）。制御部１１５は、切替ボタン１２０から第１又は第２の切替信号を受信した場合（ステップＳ４１のＹｅｓ）、受信した信号が第１の切替信号であるか否かを判断する（ステップＳ４２）。また、制御部１１５は、切替ボタン１２０から第１又は第２の切替信号を受信していない場合（ステップＳ４１のＮｏ）、皮膚接触推定部１１４から接触信号又は非接触信号を受信したか否かを判断する（ステップＳ４３）。
【００４１】
制御部１１５は、皮膚接触推定部１１４から接触信号又は非接触信号を受信した場合（ステップＳ４３のＹｅｓ）、受信した信号が接触信号であるか否かを判断する（ステップＳ４４）。
【００４２】
制御部１１５は、ステップＳ４２において、受信した信号が第１の切替信号である場合（ステップＳ４２のＹｅｓ）、又は、ステップＳ４４において、受信した信号が接触信号である場合（ステップＳ４４のＹｅｓ）、モード記憶部１１６に第１のモードを記憶する（ステップＳ４５）。また制御部１１５は、ステップＳ４２において、受信した信号が第２の切替信号である場合（ステップＳ４２のＮｏ）、又は、ステップＳ４４において、受信した信号が非接触信号である場合（ステップＳ４４のＮｏ）、モード記憶部１１６に第２のモードを記憶する（ステップＳ４６）。
【００４３】
制御部１１５は、ステップＳ４３において皮膚接触推定部１１４から接触信号及び非接触信号を受信していない場合（ステップＳ４３のＮｏ）、ステップＳ４５においてモード記憶部１１６に第１のモードを記憶した後、又は、ステップＳ４６においてモード記憶部１１６に第２のモードを記憶した後に、モード記憶部１１６が第１のモードを記憶しているか否かを判断する（Ｓ４７）。
【００４４】
制御部１１５は、モード記憶部１１６が第１のモードを記憶している場合（ステップ４７のＹｅｓ）、筐体１３０の表面の温度が第１の温度を超えないか否かを判断する（ステップＳ４８）。また、制御部１１５は、モード記憶部１１６が第２のモードを記憶している場合（ステップ４７のＮｏ）、送信パワーアンプ１４の温度が第２の温度を超えず、かつ、集積回路１１０の温度が第３の温度を超えないか否かを判断する（ステップＳ４９）。
【００４５】
制御部１１５は、ステップＳ４８において、筐体１３０の表面の温度が第１の温度を超えない場合（ステップＳ４８のＹｅｓ）、高スループット伝送制御を実行し（ステップＳ４１０）、処理をステップＳ４１１へ移行する。また、制御部１１５は、筐体１３０の表面の温度が第１の温度を超える場合（ステップＳ４８のＮｏ）、表面の温度を低下させるために低放熱量伝送制御を実行し（ステップＳ４１２）、処理をステップＳ４１１へ移行する。
【００４６】
制御部１１５は、ステップＳ４９において、送信パワーアンプ１４の温度が第２の温度を超えず、かつ、集積回路１１０の温度が第３の温度を超えない場合（ステップＳ４９のＹｅｓ）、高スループット伝送制御を実行し（ステップＳ４１３）、処理をステップＳ４１１へ移行する。また、制御部１１５は、送信パワーアンプ１４の温度が第２の温度を超え、かつ／又は、集積回路１１０の温度が第３の温度を超える場合（ステップＳ４９のＮｏ）、上限温度を超える構成要素の温度を低下させるために低放熱量伝送制御を実行し（ステップＳ４１４）、処理をステップＳ４１１へ移行する。
【００４７】
制御部１１５は、ステップＳ４１１において、一定時間が経過した場合（ステップＳ４１１のＹｅｓ）、処理をステップＳ４１へ移行する。制御部１１５は、一定時間が経過していない場合（ステップＳ４１１のＮｏ）、一定時間が経過するまで待機する。
【００４８】
以上のように、上記一実施形態によれば、無線通信端末は、静電センサ４０、加速度センサ５０、地磁気センサ６０、ＧＰＳ７０、撮像部８０及び置き台端子９０を具備し、これらにより外界の変化を感知することで、端末に対する皮膚の接触を推定するようにしている。これにより、無線通信端末は、高確率で皮膚の接触を推定することが可能となる。
【００４９】
また、上記一実施形態では、制御部１１５は、端末に皮膚が接触している際は、筐体表面の温度が第１の温度を超えないように、高スループット伝送制御と、低放熱量伝送制御とを切り替えて実行するようにしている。これにより、高スループットの無線通信を行っても、無線通信端末の筐体表面が高温化することはない。
【００５０】
したがって、本実施形態に係る無線通信端末によれば、スループットの高い無線通信を行っても、端末に接触する皮膚に傷害を負わせることはない。
【００５１】
また、制御部１１５は、端末に皮膚が接触していない際は、送信パワーアンプ１４の温度が第２の温度を超えず、かつ、集積回路１１０の温度が第３の温度を超えないように、高スループット伝送制御と、低放熱量伝送制御とを切り替えて実行するようにしている。一般に、手で可搬な無線通信端末はファン空冷せず、熱を筐体表面で伝導し、小さい表面積から輻射するようにしている。そのため、筐体表面の温度が皮膚に傷害を与える温度に達しても、動作部位の温度は上限温度に達しない場合が多い。本実施形態によれば、皮膚が接触していない場合には、送信パワーアンプ１４及び集積回路１１０の上限温度を超えない範囲で高スループット伝送制御を実行するようにしている。そのため、皮膚が接触していない場合は、皮膚が接触している場合よりも長い期間、高スループット伝送制御を実行することが可能である。つまり、皮膚が接触している場合よりも効率良く無線通信を行うことが可能である。
【００５２】
また、上記一実施形態によれば、無線通信端末は、切替ボタン１２０を具備し、ユーザからの要求に応じ、任意に第１のモードと第２のモードとを切り替えるようにしている。つまり、無線通信端末は、切替ボタン１２０が押されることで第２のモードが選択された場合、筐体１３０の表面温度に関係なく、高スループット伝送制御を実行する。これにより、例えば、素早くデータを伝送することが最も重要な場合には、ユーザは、第２のモードへ強制的に切り替えることで、送信パワーアンプ１４及び集積回路１１０における上限温度に達するまで無線通信端末に高スループット伝送を実行させることが可能となる。
【００５３】
したがって、本実施形態によれば、効率的に高スループット伝送を実行するようにしているため、所定容量の信号を伝送するのにかかる時間を短縮させることが可能となり、端末内における消費電力量を低減させることができる。また、皮膚が接触されることを想定してスループットの速度を常に制限する場合よりも、端末内における消費電力量を低減させることができる。
【００５４】
なお、上記一実施形態では、静電センサ４０により取得される静電容量の変化と、加速度センサ５０により取得される加速度の変化と、地磁気６０センサにより取得される方向の変化と、ＧＰＳ７０により取得される位置情報の変化と、撮像部８０により取得される外界像の変化と、置き台端子９０から出力される接続信号とのうち、少なくともいずれかを参照し、無線通信端末に皮膚が接触していることを推定する場合を例に説明した。しかしながら、本実施形態は、これに限定される訳ではない。無線通信端末は、上記の構成要素のうちいずれかを具備していない場合であっても構わない。また、無線通信端末は、上記の構成要素以外に、皮膚の接触を検知する装置をさらに具備していても構わない。
【００５５】
さらに、本実施形態は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００５６】
１０…通信部
１１…アンテナ
１２…送受信切替部
１３…周波数変換部
１４…送信パワーアンプ
１５…受信アンプ
１６…周波数変換部
２０…動作部位温度センサ
２１…送信パワーアンプ温度センサ
２２…集積回路温度センサ
３０…筐体表面温度センサ
４０…静電センサ
５０…加速度センサ
６０…地磁気センサ
７０…ＧＰＳ
８０…撮像部
９０…置き台端子
１００…メモリ
１１０…集積回路
１１１…通信処理部
１１１１…送信データ生成部
１１１２…変調処理部
１１１３…復調処理部
１１１４…受信データ処理部
１１２…メモリ接続部
１１３…置き台接続部
１１４…皮膚接触推定部
１１５…制御部
１１６…モード記憶部
１２０…切替スイッチ
１３０…筐体
【図１】
0005413291.tif 000002
【図２】
0005413291.tif 000003
【図３】
0005413291.tif 000004
【図４】
0005413291.tif 000005